(57)【特許請求の範囲】
【請求項１】
金属薄板を互いに組み付けて箱状に構成され、内部に電子部品又は集積回路素子を実装した回路基板を収納するシールドケースを備えた電子機器において、
外側面にストッパ凸部が突出形成された側面板と、前記側面板の前面側に位置する前面板と、前記側面板の背面側に位置する背面板と、前記側面板と前記背面板とのみに被冠して組み合わされる天井板とを備え、
前記天井板には、それぞれ下縁部が折曲されて前記側面板と背面板との外側面に弾接される側面保持片と背面保持片とが外周縁に沿って一体に折曲形成され、
前記側面保持片には、前記ストッパ凸部を対応位置させるガイド溝が形成されており、
前記ガイド溝は、開口縁が前記前面側に向かって次第に開口幅が大きくなる傾斜縁部と、前記傾斜縁部から連続する垂直縁部と、前記垂直縁部から前面側に向かって水平に切り込まれて連設されて前記ストッパ凸部が相対係合する係合溝とからなり、
前記ストッパ凸部は、前記天井板が前記側面板と前記背面板に対して押し込まれることによって、前記傾斜縁部から前記垂直縁部に沿って移動し係合溝に相対係合することを特徴とする電子機器。
【発明の詳細な説明】
【０００１】
【発明の属する技術分野】
本発明は、複数枚の金属薄板を互いに組み付けて箱状に構成されて内部に電子部品や集積回路素子等を実装した回路基板や電子部品等を収納してなる受信器や電子チューナ、アンプ等の電子機器のシールドケースに関する。
【０００２】
【従来の技術】
受信器や電子チューナ、アンプ等の電子機器においては、一般に電子部品や集積回路素子等を実装した回路基板や電子部品等が、金属薄板を組み合わせて構成したシールドケース内に収納されていた。電子機器においては、シールドケースによって外部からの電磁波ノイズや内部で発生する電磁波ノイズの影響を抑制するようにするとともに機械的保護を図るように構成されている。
【０００３】
従来のシールドケース１００は、図５に示すように前面板１０１と、側面板１０２と、背面板１０３と、天井板１０４と、底板（図示せず）等の各構成板が互いに組み付けられて箱状に構成されている。従来のシールドケース１００においては、例えば天井板１０４を開放した状態で内部に回路基板や電子部品等が収納された後、天井板１０４が組み付けられ。
【０００４】
側面板１０２には、打出し加工等によって、その外側面の上縁近傍に位置してストッパ凸部１０５が一体に突出形成されている。また、背面板１０３にも、打出し加工等によって、その外側面の上縁近傍に位置して半球状のクリック凸部１０６が一体に突出形成されている。
【０００５】
天井板１０４には、その両側縁部及び背面側縁部に沿って、それぞれ下方に向かって略直角に折曲された側面保持片１０７及び背面保持片１０８とが一体に形成されている。側面保持片１０７は、下端縁に開口する複数のスリット１０９によって複数の短冊片に分割されている。側面保持片１０７には、図６に示すように下端部が内方へと略へ字状に折曲されることによって保持凸部１１０が形成されている。
【０００６】
側面保持片１０７は、図５に示すように側面板１０２のストッパ凸部１０５に対応した位置に高さ方向の幅広のガイド溝１１１が形成されている。ガイド溝１１１は、前面側の開口縁１１２が、前面側に向かって次第に開口幅を大きくする傾斜縁部１１２ａと、この傾斜縁部１１２ａに連続する垂直縁部１１２ｂとから構成されている。
【０００７】
背面保持片１０８も、図示しないが側面保持片１０７と同様に下端縁に開口する複数のスリットによって複数の短冊片に分割されており、図５に示すように下端部が内方へと略へ字状に折曲されることによって保持凸部１１３が形成されている。
【０００８】
以上のように構成された天井板１０４は、側面板１０２及び背面板１０３を被冠するようにして組み付けられる。天井板１０４は、背面保持片１０８の保持凸部１１３がクリック凸部１０６を乗り越えて背面板１０３の外側面に弾接することで、抜止めされる。また、天井板１０４は、背面保持片１０８の保持凸部１１３がクリック凸部１０６を乗り越える際に全体が背面側へと移動することで、ガイド溝１１１にストッパ凸部１０５を対応位置させてこれを進入させる。天井板１０４は、保持凸部１１３がクリック凸部１０６を乗り越えると全体が前面側へと移動することで、ガイド溝１１１の垂直縁部１１２ｂにストッパ凸部１０５を当接させる。
【０００９】
天井板１０４は、側面板１０２及び背面板１０３に対して、その外側面に側面保持片１０７の保持凸部１１０と背面保持片１０８の保持凸部１１３とがそれぞれ弾接して組み合わされている。天井板１０４は、背面保持片１０８の保持凸部１１３がクリック凸部１０６に係止されることによって保持されている。天井板１０４は、背面保持片１０８の弾性力によって側面保持片１０７側においてそのガイド溝１１１の垂直縁部１１２ｂにストッパ凸部１０５が当接されることで、前面側に保持片が設けられないシールドケースにおいても天井板１０４を保持できる構成になっている。
【００１０】
したがって、シールドケース１００は、構成各部材が、ねじや溶接或いは溶着等の結合方法を介すること無く、極めて簡易な方法によって相互に組み付けられて構成される。シールドケース１００は、これによって電磁波ノイズの影響を抑制するとともに内部に収納した回路基板や電子部品等の機械的保護を図る。
【００１１】
【発明が解決しようとする課題】
このように、前面側に保持片を設けることができない従来のシールドケース１００においては、上述したように側面保持片１０７側においてガイド溝１１１の垂直縁部１１２ｂにストッパ凸部１０５が当接され、背面保持片１０８がクリック凸部１０６によって係止されるとともに側面保持片１０７と背面保持片１０８の弾性力が作用することで、側面板１０２及び背面板１０３に対する天井板１０４の組付け状態が保持されている。また、シールドケース１００は、上述したように天井板１０４の背面と側面のみに保持片が設けられ、また、金属薄板によって形成されているために、厚み方向に対して撓みやすいといった特徴がある。
【００１２】
したがって、シールドケース１００は、落下等の大きな衝撃が加えられたり天井板１０４に押圧力が加えられたりした場合に、天井板１０４やその他の構成各部材に厚み方向の変形や撓み現象が生じる。シールドケース１００は、これによって側面保持片１０７や背面保持片１０８が外方へと開いて側面板１０２や背面板１０３に対する保持力が失われることで、天井板１０４が外れたりずれたりして充分なシールド作用が奏し得なくなるといった問題が生じることがあった。
【００１３】
また、シールドケース１００においては、例えば構成各部材を厚みの大きな金属板を素材として形成することも考慮されるが、材料コストの増加、部品製造工程や管理工程の変更等が必要となって全体コストが増加するといった問題が生じる。また、シールドケース１００においては、かかる対応を施すことによって、大型となるとともに重量も大きくなるといった問題も生じる。
【００１４】
したがって、本発明は、衝撃等が加えられた場合にも天井板の外れが防止されてシールド作用を確実に保持するようにした電子機器のシールドケースを提供することを目的としたものである。
【００１５】
【課題を解決するための手段】
この目的を達成する本願発明に係る電子機器は、金属薄板を互いに組み付けて箱状に構成され、内部に電子部品又は集積回路素子を実装した回路基板を収納するシールドケースを備えた電子機器において、外側面にストッパ凸部が突出形成された側面板と、前記側面板の前面側に位置する前面板と、前記側面板の背面側に位置する背面板と、前記側面板と前記背面板とのみに被冠して組み合わされる天井板とを備え、前記天井板には、それぞれ下縁部が折曲されて前記側面板と背面板との外側面に弾接される側面保持片と背面保持片とが外周縁に沿って一体に折曲形成され、前記側面保持片には、前記ストッパ凸部を対応位置させるガイド溝が形成されており、前記ガイド溝は、開口縁が前記前面側に向かって次第に開口幅が大きくなる傾斜縁部と、前記傾斜縁部から連続する垂直縁部と、前記垂直縁部から前面側に向かって水平に切り込まれて連設されて前記ストッパ凸部が相対係合する係合溝とからなり、前記ストッパ凸部は、前記天井板が前記側面板と前記背面板に対して押し込まれることによって、前記傾斜縁部から前記垂直縁部に沿って移動し係合溝に相対係合することを特徴とする。
【００１６】
以上のように構成された本発明にかかる電子機器のシールドケースによれば、側面板と背面板とに対して組み合わされた天井板が、クリック凸部によって背面保持片を係止されることでその背面側を保持されるとともに、係合溝中にストッパ凸部が相対係合して側面保持片を係止することで側面側を保持される。電子機器のシールドケースによれば、落下等の衝撃や押圧力等が加えられて天井板に撓み等が生じてもストッパ凸部が係合溝中に保持される。したがって、電子機器のシールドケースによれば、側面保持片及び背面保持片の弾性力が側面板及び背面板に有効に作用して、天井板の脱落が確実に防止される。
【００１７】
【発明の実施の形態】
以下、本発明の実施の形態について、図面を参照して詳細に説明する。実施の形態として示すシールドケース１０は、図１に示すように前面板１１に高周波入力用の同軸コネクタ３や入出力用のフィーダ端子コネクタ４が取り付けられた受信器１への適用例を示す。受信器１は、詳細を省略するがシールドケース１０内に受信回路や制御回路等を構成する電子部品や集積回路素子等を搭載した回路基板或いは電子部品等が収納されている。受信器１は、背面板と、側面板とからなるコ字状のケースに対して、シールドケース１０の前面板１１をカシメなどによって固定してなる。
【００１８】
シールドケース１０は、図１に示すように、それぞれ金属薄板によって形成された前面板１１と、左右の側面板１２、１２と、背面板１３と、天井板１４及び底板１５とを互いに組み付けて全体箱状に構成してなる。なお、左右の側面板１２は、それぞれ同等に形成された部材であるから、一方側についてその構成を代表して説明する。また、底板１５は、詳細を後述する側面板１２及び背面板１３との結合構造が天井板１４と同等とされていることから、その詳細な説明を省略する。
【００１９】
また、シールドケース１０は、上述した各構成部材がそれぞれ独立に形成されるばかりでなく、例えば左右の側面板１２と底板１５とを一体に形成した略コ字状の部材或いはこれらと背面板１３とを一体に形成した部材を用いてもよいことは勿論である。また、シールドケース１０には、図示しないが、例えば側面板１２に回路基板に搭載されてＣＰＵとの接続を行うピンコネクタを外方に臨ませる開口部を形成したり、天井板１４や底板１５に補強用の複数条の凹凸リブが形成される。
【００２０】
側面板１２は、全体横長矩形を呈しており、図示しないが前端縁と後端縁とにそれぞれ複数個のカシメ片が一体に形成されている。各カシメ片は、それぞれ前端縁及び後端縁から突設された短冊状凸片を内方へと略直角に折曲してなる。側面板１２は、これらカシメ片をそれぞれ相対するカシメ孔にカシメ付けることによって、前面板１１と背面板１３とに組み付けられて全体矩形枠体を構成する。勿論、シールドケース１０は、例えば前面板１１と背面板１３とにカシメ片を形成するとともに側面板１２側にカシメ孔を形成してもよく、またその他の適宜の結合構造を以って組み付けるようにしてもよい。
【００２１】
側面板１２には、外側面に上下一対のストッパ凸部１６、１６が形成されている。ストッパ凸部１６は、金属材料板に対してプレス加工を施して側面板１２を形成する際に同時に打ち出し形成される。ストッパ凸部１６は、側面板１２の上下縁に沿って前後方向の横長矩形の凸部として形成されてなる。勿論、ストッパ凸部１６は、側面板１２に対して、上下複数個を形成してもよい。また、ストッパ凸部１６は、例えば上縁部（下縁部）を高さ方向に対して次第に突出量を大きくした断面楔状に形成してもよい。
【００２２】
天井板１４は、図１に示すように上述した前面板１１と背面板１３及び側面板１２とを組み付けて構成した枠体よりも大きな外形を有している。天井板１４には、両側縁及び背面縁とにそれぞれ側面保持片１７、１７と、背面保持片１８とが一体に形成されている。天井板１４は、これら側面保持片１７や背面保持片１８或いは後述する各部を、金属材料板に対してプレス加工を施して形成する際に同時に形成してなる。
【００２３】
側面保持片１７は、天井板１４の両側縁のほぼ全域に亘って突設されたフランジ状凸部を内方へと略直角に折曲するとともに、下端縁に開口する複数のスリット１９が形成されることによって複数の短冊状領域に区割されてなる。側面保持片１７は、短冊状領域に区割りすることで厚み方向に対してより弾性変形しやすくなっている。側面保持片１７には、図３に詳細を示すように、下端部位が内方へと略へ字状に折曲されることによって保持凸部２０が形成されている。左右の側面保持片１７、１７の保持凸部２０は、その対向間隔が左右側面板１２、１２の対向間隔よりも幅狭とされている。
【００２４】
側面保持片１７には、側面板１２のストッパ凸部１６に対応して、下端縁に開口する高さ方向のガイド溝２１が形成されている。ガイド溝２１は、ストッパ凸部１６が進入するに足る開口幅を有しており、背面側の開口縁２２が垂直壁とされるとともに、前面側の開口縁２３が前面側に向かって次第に開口幅を大きくする傾斜縁部２３ａと、この傾斜縁部２３ａに連続する垂直縁部２３ｂとから構成されている。ガイド溝２１は、後述する背面保持片１８から一方の開口縁２３の垂直縁部２３ｂとの間隔が、側面板１２の後端縁からストッパ凸部１６の前面側の側縁との間隔よりも大きくなるようにして側面保持片１７に形成されている。
【００２５】
ガイド溝２１には、一方の開口縁２３の垂直縁部２３ｂから前面側に向かって水平に切り込むこによって係合溝２４が連設されている。係合溝２４は、溝幅がストッパ凸部１６の幅よりも大きく、かつ長さがストッパ凸部１６の長さよりも小さい。係合溝２４は、天井板１４の主面からの高さ位置が、側面板１２の上縁からストッパ凸部１６の高さ位置とほぼ等しい。係合溝２４は、その前端縁と背面保持片１８との間隔が、側面板１２の後端縁からストッパ凸部１６の前面側の側縁との間隔よりも大きい長さを以ってガイド溝２１の一方開口縁２３に形成されている。
【００２６】
背面保持片１８も、天井板１４の後端縁のほぼ全域に亘って突設されたフランジ状凸部を内方へと略直角に折曲するとともに、図示しないが下端縁に開口する複数のスリットが形成されることによって複数の短冊状領域に区割されてなる。背面保持片１８は、短冊状領域に区割りすることで厚み方向に対してより弾性変形しやすくなっている。背面保持片１８には、図２に示すように、下端部位が内方へと略へ字状に折曲されることによって保持凸部２５が形成されている。背面保持片１８は、保持凸部２５と天井板１４の前端縁との間隔が、側面板１２の長さよりも小さくなるように形成されている。
【００２７】
背面板１３には、外側面にクリック凸部２６が形成されている。クリック凸部２６は、金属材料板に対してプレス加工を施して背面板１３を形成する際に同時に打ち出し形成される。クリック凸部２６は、図２に示すように半球形の凸部として、背面板１３の上下縁（下縁側については図示を省略している。）に沿って幅方向に離間してそれぞれ一対が形成されている。
【００２８】
クリック凸部２６は、背面板１３の上縁からの高さが、天井板１４の背面保持片１８の保持凸部２５の高さよりも小さい。勿論、クリック凸部２６は、かかる構成に限定されず、例えば上縁部（下縁部）を高さ方向に対して次第に突出量を大きくした断面楔状に形成してもよい。
【００２９】
以上のように構成された天井板１４は、図４矢印ａで示すように組み付けられた側面板１２及び背面板１３に対してその上方から被冠するようにして組み付けられる。天井板１４は、背面保持片１８の保持凸部２５が同図矢印ｂで示すように外側へと弾性変形しながらクリック凸部２６を乗り越える。天井板１４は、背面保持片１８の保持凸部２５が背面板１３の外側面に弾接するとともにクリック凸部２６によって係止されることで抜止めされる。
【００３０】
ところで、天井板１４は、背面保持片１８の保持凸部２５がクリック凸部２６を乗り越える際に、その弾性力によって全体が前面側へと移動する。天井板１４は、これによってガイド溝２１に対してその開口部にストッパ凸部１６を臨ませるとともに傾斜縁部２３ａに沿って内部へと進入させる。
【００３１】
ストッパ凸部１６は、天井板１４を押し込むにしたがって、その側縁がガイド溝２１の一方開口縁２３に沿ってその傾斜縁部２３ａから垂直縁部２３ｂへと移動する。ストッパ凸部１６は、背面保持片１８の保持凸部２５がクリック凸部２６を乗り越えると、係合溝２４に対応位置する。ストッパ凸部１６は、この状態で背面保持片１８の弾性力が小さくなって天井板１４が背面側へと移動することで図２に示すように係合溝２４中に相対係合する。したがって、ストッパ凸部１６は、図４矢印ｃで示すように移動する。
【００３２】
天井板１４は、側面板１２及び背面板１３に対して、その外側面に側面保持片１７の保持凸部２０と背面保持片１８の保持凸部２５とがそれぞれ弾接して組み合わされている。天井板１４は、上述したように背面保持片１８の保持凸部２５がクリック凸部２６に係止されるとともに、係合溝２４に対してストッパ凸部１６が相対係合した状態で側面板１２及び背面板１８とに組み付けられている。
【００３３】
なお、底板１５については、上述したように側面板１２及び背面板１３に対する結合構造が天井板１４と同様に構成されることから、同様にして組み付けられる。
【００３４】
したがって、シールドケース１０は、誤って受信器１を落下させる等によって大きな衝撃が加えられたり天井板１４に押圧力が加えられても、係合溝２４にストッパ凸部１６が相対係合することで天井板１４が側面保持片１７や背面保持片１８の弾性力に抗して移動することが阻止される。したがって、シールドケース１０は、天井板１４の側面板１２や背面板１３からの外れ現象が確実に防止される。シールドケース１０は、これによって電磁波ノイズの影響を抑制するシールド作用を確実に奏するとともに内部に収納した回路基板や電子部品等の機械的保護を図る。
【００３５】
なお、上述した実施の形態は、受信器１に適用したシールドケース１０を示したが、その他の電子機器のシールドケースにも適用されることは勿論である。
【００３６】
【発明の効果】
以上詳細に説明したように、本発明にかかる電子機器のシールドケースによれば、側面板と背面板とに対して組み合わされた天井板が、背面保持片によって背面側を保持されるとともに、係合溝中にストッパ凸部が相対係合して側面保持片を係止することで側面側を保持される。したがって、電子機器のシールドケースによれば、落下等の衝撃や押圧力等が加えられて天井板に撓み等が生じても、ストッパ凸部が係合溝中に係合された状態が保持されることで、天井板が側面保持片及び背面保持片の弾性力に抗して移動して側面板或いは背面板から外れるといった現象の発生が確実に防止され、シールド作用が保持されるようになる。
【図面の簡単な説明】
【図１】本発明の実施の形態として示す受信器の斜視図である。
【図２】同受信器の要部側面図である。
【図３】同受信器のシールドケースを構成する側面板と天井板との構成を説明する要部分解斜視図である。
【図４】同側面板に対する天井板の組み付け操作の説明図である。
【図５】従来の受信器の要部側面図である。
【図６】同受信器のシールドケースを構成する側面板と天井板との構成を説明する要部縦断面図である。
【符号の説明】
１      受信器
２      取付パネル
１０    シールドケース
１１    前面板
１２    側面板
１３    背面板
１４    天井板
１５    底板
１６    ストッパ凸部
１７    側面保持片
１８    背面保持片
２０    保持凸部
２１    ガイド溝
２３    開口縁
２３ａ  傾斜縁部
２３ｂ  垂直縁部
２４    係合溝
２５    保持凸部
２６    クリック凸部
【図１】
0004341140.tif 000002
【図２】
0004341140.tif 000003
【図３】
0004341140.tif 000004
【図４】
0004341140.tif 000005
【図５】
0004341140.tif 000006
【図６】
0004341140.tif 000007